(57)【要約】改善された生体適合性を有する新規生体適合性材料を提供する。フルオロポリマーからなる生体適合性材料であって、上記フルオロポリマーは、フルオロオレフィンとアミド結合を有する重合性ビニル化合物との共重合体であり、フルオロオレフィン単位が６５〜５モル％であり、アミド結合を有する重合性ビニル化合物単位が３５〜９５モル％であることを特徴とする生体適合性材料である。
2016204217.tif 000002
【特許請求の範囲】
【請求項１】
フルオロポリマーからなる生体適合性材料であって、
前記フルオロポリマーは、フルオロオレフィンとアミド結合を有する重合性ビニル化合物との共重合体であり、フルオロオレフィン単位が６５〜５モル％であり、アミド結合を有する重合性ビニル化合物単位が３５〜９５モル％である
ことを特徴とする生体適合性材料。
【請求項２】
フルオロオレフィンは、テトラフルオロエチレン及びヘキサフルオロプロピレンからなる群より選択される少なくとも１種である請求項１記載の生体適合性材料。
【請求項３】
請求項１又は２記載の生体適合性材料及び有機溶剤からなることを特徴とするコーティング組成物。
【請求項４】
請求項１又は２記載の生体適合性材料からなることを特徴とする物品。
【請求項５】
請求項１又は２記載の生体適合性材料を成形して得られることを特徴とする物品。
【請求項６】
請求項１又は２記載の生体適合性材料、又は、請求項３記載のコーティング組成物を塗布して得られることを特徴とするコーティング膜。
【請求項７】
請求項１又は２記載の生体適合性材料、又は、請求項３記載のコーティング組成物を塗布して得られるコーティング膜を備えることを特徴とする物品。
【請求項８】
医療用具又は医療用容器である請求項４、５又は７記載の物品。
【請求項９】
請求項４、５、７又は８記載の物品であって、抗血栓用、バイオ医薬用、抗菌用、細胞培養用、又は、抗タンパク吸着用に使用することを特徴とする物品。
【請求項１０】
請求項４、５、７、８又は９記載の物品であって、フィルム、シート、チューブ、バッグ、シャーレ、ディッシュ、ウェル、又は、バイアル瓶であることを特徴とする物品。
【請求項１１】
請求項１又は２記載の生体適合性材料、又は、請求項３記載のコーティング組成物を塗布する工程を含むことを特徴とするコーティング方法。
【発明の詳細な説明】
【技術分野】
【０００１】
本発明は、生体適合性材料に関する。また、本発明は、上記生体適合性材料からなるコーティング組成物、コーティング膜及び物品にも関する。
【背景技術】
【０００２】
人工材料を生体成分と接触させると、タンパク質や血小板などが表面に付着し、材料の性能低下や生体反応への悪影響等の問題が生じるおそれがある。そのため、生体成分と接触させる用途に用いられる人工材料には表面の生体適合性が強く求められる。【０００３】
非特許文献１には、クロロトリフルオロエチレンとＮ−ビニルピロリドンとの共重合体及びポリビニルピロリドンからなるフッ素化両親媒性ブロック共重合体が良好な生体適合性を示すことが記載されている。【０００４】
特許文献１には、フッ素化モノマーと親水性モノマーを有する生体適合性ポリマーが記載されており、上記親水性モノマーとして、ビニルピロリドン等が例示されている。【０００５】
このように、非特許文献１及び特許文献１には、生体適合性を有する人工材料として、フッ素化モノマーとビニルピロリドンとの共重合体が記載されている。これらの他、フッ素化モノマーとビニルピロリドンとの共重合体としては、次の共重合体が公知であるが、生体適合性の有無は不明である。【０００６】
例えば、特許文献２には、フルオロオレフィン、Ｎ−ビニル−ラクタム化合物、架橋可能な官能基を有する単量体およびこれらと共重合可能な単量体がそれぞれ３０〜７０モル％、７０〜５モル％、２〜４０モル％、０〜６３モル％の割合で共重合した含フッ素共重合体が記載されている。【０００７】
非特許文献２には、クロロトリフルオロエチレンとＮ−ビニルピロリドンとの共重合体が記載されている。
【先行技術文献】
【特許文献】
【０００８】
【特許文献１】特許第５１４２７１８号公報
【特許文献２】特開平１−１０８２７０号公報
【非特許文献】
【０００９】
【非特許文献１】Ｐｕｃｈｅｎｇ  Ｗａｎｇ、外５名、「Ｓｙｎｔｈｅｓｉｓ  ａｎｄ  ｐｒｏｐｅｒｔｉｅｓ  ｏｆ  ａ  ｗｅｌｌ−ｄｅｆｉｎｅｄ  ｃｏｐｏｌｙｍｅｒ  ｏｆ  ｃｈｌｏｒｏｔｒｉｆｌｕｏｒｏｅｔｈｙｌｅｎｅ  ａｎｄ  Ｎ−ｖｉｎｙｌｐｙｒｒｏｌｉｄｏｎｅ  ｂｙ  ｘａｎｔｈａｔｅ−ｍｅｄｉａｔｅｄ  ｒａｄｉｃａｌ  ｃｏｐｏｌｙｍｅｒｉｚａｔｉｏｎ  ｕｎｄｅｒ  ６０Ｃｏ  γ−ｒａｙ  ｉｒｒａｄｉａｔｉｏｎ」、Ｐｏｌｙｍｅｒ  Ｃｈｅｍｉｓｔｒｙ、２０１４年、第５巻、ｐ．６３５８−６３６４
【非特許文献２】ＣＡＯ  ＪＩＮ、外２名、「Ｒａｄｉａｔｉｏｎ−Ｉｎｄｕｃｅｄ  Ｃｏｐｏｌｙｍｅｒｉｚａｔｉｏｎ  ｏｆ  Ｎ−Ｖｉｎｙｌｐｙｒｒｏｌｉｄｏｎｅ  ｗｉｔｈ  Ｍｏｎｏｃｈｌｏｒｏｔｒｉｆｌｕｏｒｏｅｔｈｙｌｅｎｅ」、Ｊ．  Ｍａｃｒｏｍｏｌ．  Ｓｃｉ．  Ｃｈｅｍ．，  １９８５年、Ａ２２（３）、ｐ．３７９−３８６
【発明の概要】
【発明が解決しようとする課題】
【００１０】
本発明は、改善された生体適合性を有する新規な生体適合性材料、コーティング膜及び物品を提供することを目的とする。【００１１】
より詳細には、本発明は、タンパク質、血液成分、細胞又は細菌が付着しにくい生体適合性材料、コーティング膜及び物品を提供することを目的とする。【００１２】
更に、本発明は、生体適合性を有するコーティング膜を形成することができるコーティング組成物を提供することも目的とする。
【課題を解決するための手段】
【００１３】
本発明者らは、フルオロオレフィン単位及びアミド結合を有する重合性ビニル化合物単位を極めて限定された量で含むフルオロポリマーが、優れた生体適合性を示すことを見出し、本発明に到達した。【００１４】
すなわち本発明は、フルオロポリマーからなる生体適合性材料であって、上記フルオロポリマーは、フルオロオレフィンとアミド結合を有する重合性ビニル化合物との共重合体であり、フルオロオレフィン単位が６５〜５モル％であり、アミド結合を有する重合性ビニル化合物単位が３５〜９５モル％であることを特徴とする生体適合性材料である。【００１５】
上記フルオロオレフィンは、テトラフルオロエチレン及びヘキサフルオロプロピレンからなる群より選択される少なくとも１種であることが好ましい。【００１６】
本発明は、上述の生体適合性材料及び有機溶剤からなることを特徴とするコーティング組成物でもある。【００１７】
本発明は、上述の生体適合性材料からなることを特徴とする物品でもある。【００１８】
本発明は、上述の生体適合性材料を成形して得られることを特徴とする物品でもある。【００１９】
本発明は、上述の生体適合性材料、又は、上述のコーティング組成物を塗布して得られることを特徴とするコーティング膜でもある。【００２０】
本発明は、上述の生体適合性材料、又は、上述のコーティング組成物を塗布して得られるコーティング膜を備えることを特徴とする物品でもある。【００２１】
上記物品は、医療用具又は医療用容器であることが好ましい。【００２２】
本発明は、上述の物品であって、抗血栓用、バイオ医薬用、抗菌用、細胞培養用、又は、抗タンパク吸着用に使用することを特徴とする物品でもある。【００２３】
本発明は、上述の物品であって、フィルム、シート、チューブ、バッグ、シャーレ、ディッシュ、ウェル、又は、バイアル瓶であることを特徴とする物品でもある。【００２４】
本発明は、上述の生体適合性材料、又は、上述のコーティング組成物を塗布する工程を含むことを特徴とするコーティング方法でもある。
【発明の効果】
【００２５】
本発明の生体適合性材料は、上記構成を有することから、改善された生体適合性を有しており、特に、タンパク質、血液成分、細胞又は細菌が付着しにくい。また、本発明の物品及びコーティング膜は、上記構成を有することから、生体適合性に優れており、特に、タンパク質、血液成分、細胞又は細菌が付着しにくい。【００２６】
本発明のコーティング組成物は、物品に生体適合性を与えるコーティング膜を形成することができる。
本発明のコーティング方法は、物品に生体適合性を与えるコーティング膜を形成することができる。
【図面の簡単な説明】
【００２７】
【図１】実施例１１で得られた接着大腸菌の走査型電子顕微鏡写真である。
【図２】実施例１１で得られた接着大腸菌の拡大走査型電子顕微鏡写真である。
【図３】実施例１２で得られた接着大腸菌の走査型電子顕微鏡写真である。
【図４】実施例１２で得られた接着大腸菌の拡大走査型電子顕微鏡写真である。
【図５】比較例６で得られた接着大腸菌の走査型電子顕微鏡写真である。
【図６】比較例６で得られた接着大腸菌の拡大走査型電子顕微鏡写真である。
【発明を実施するための形態】
【００２８】
以下、本発明を具体的に説明する。
【００２９】
本発明の生体適合性材料は、フルオロポリマーからなり、上記フルオロポリマーがフルオロオレフィンとアミド結合を有する重合性ビニル化合物との共重合体であって、上記共重合体が６５〜５モル％のフルオロオレフィン単位、及び、３５〜９５モル％のアミド結合を有する重合性ビニル化合物単位を含むことを特徴とする。これらの特徴によって、本発明の生体適合性材料は、優れた生体適合性を有している。
【００３０】
上記フルオロオレフィン単位は、上記共重合体を構成する全単量体単位に対して６５〜５モル％である。一層優れた生体適合性を示すことから、上記フルオロオレフィン単位は、１０モル％以上であることが好ましく、２０モル％以上であることがより好ましく、３０モル％以上が更に好ましく、５５モル％以下であることが好ましく、４５モル％以下であることがより好ましく、４０モル％以下であることが更に好ましい。
【００３１】
上記アミド結合を有する重合性ビニル化合物単位は、上記共重合体を構成する全単量体単位に対して３５〜９５モル％である。一層優れた生体適合性を示すことから、上記アミド結合を有する重合性ビニル化合物単位は、４５モル％以上であることが好ましく、５５モル％以上であることがより好ましく、６０モル％以上であることが更に好ましく、９０モル％以下であることが好ましく、８０モル％以下であることがより好ましく、７０モル％以下であることが更に好ましい。
【００３２】
フルオロオレフィン単位が上記範囲より少なく、アミド結合を有する重合性ビニル化合物単位が多い場合は、上記共重合体が水に可溶となり、実際の使用中に共重合体が水中に溶出するため好ましくない。
【００３３】
本明細書において、フルオロオレフィン単位及びアミド結合を有する重合性ビニル化合物単位を含む共重合体を、フルオロオレフィン／アミド結合を有する重合性ビニル化合物共重合体と記載することがある。
【００３４】
上記フルオロオレフィン／アミド結合を有する重合性ビニル化合物共重合体において、良好な生体適合性を得られることから、フルオロオレフィン単位とアミド結合を有する重合性ビニル化合物単位とのモル比（フルオロオレフィン単位／アミド結合を有する重合性ビニル化合物単位）が、１．８０〜０．０５であることが好ましく、０．１１以上であることがより好ましく、０．２５以上であることが更に好ましく、０．４３以上であることがより更に好ましく、１．００以下であることがより好ましく、０．８２以下であることが更に好ましく、０．６７以下であることがより更に好ましい。
【００３５】
上記フルオロオレフィンとしては、テトラフルオロエチレン（ＴＦＥ）、ヘキサフルオロプロピレン（ＨＦＰ）、クロロトリフルオロエチレン（ＣＴＦＥ）、フッ化ビニリデン、トリフルオロエチレン、モノフルオロエチレン、フルオロアルキルビニルエーテル、フルオロアルキルエチレン、トリフルオロプロピレン、ペンタフルオロプロピレン、トリフルオロブテン、テトラフルオロイソブテン、ヘキサフルオロイソブテン、トリフルオロスチレン、及び、一般式：ＣＨ２＝ＣＦＲｆ（式中、Ｒｆは炭素数１〜１２の直鎖又は分岐したフルオロアルキル基）で表されるフルオロオレフィンからなる群より選択される少なくとも１種であることが好ましく、ＴＦＥ、ＣＴＦＥ、フッ化ビニリデン及びＨＦＰからなる群より選択される少なくとも１種であることがより好ましく、耐熱性及び耐薬品性により一層優れ、タンパク質、血液成分、細胞又は細菌がより一層付着しにくいことから、ＴＦＥ及びＨＦＰからなる群より選択される少なくとも１種であることが更に好ましい。
上記耐熱性は、次の方法により評価する。熱重量分析装置を用いて、上記フルオロポリマーを空気雰囲気下、１０℃／ｍｉｎで６００℃まで昇温する。一定重量部と重量減少部からそれぞれ接線を引き、交点を熱分解温度とする。
上記耐薬品性は、次の方法による重量減少率で評価する。上記重量減少率は、次の計算式により算出する値である。
重量減少率＝１００―（次亜塩素酸ナトリウム（ＮａＣｌＯ）水溶液に浸漬した後のフルオロポリマーの重量）／（ＮａＣｌＯ水溶液に浸漬させる前のフルオロポリマーの重量）×１００
ＮａＣｌＯ水溶液に浸漬した後の重量は、フルオロポリマー（サンプル）を、５０００ｐｐｍのＮａＣｌＯを含む水溶液（ｐＨ１３となる様に水酸化ナトリウムを添加して調製する）に、２０℃で１６８時間浸漬させた後、フルオロポリマーを回収し、６０℃で１５時間乾燥して得られるフルオロポリマーの重量である。
なお、サンプルは１３質量％のフルオロポリマーを含むポリマー溶液から、直径約５８ｍｍのシャーレ上にキャスト成膜したフィルムを使用する。
【００３６】
上記重合性ビニル化合物は、アミド結合を有しており、アミド結合に加えて重合性ビニル基を有していることが好ましい。上記アミド結合は、カルボニル基と窒素原子の間の結合をいう。
上記重合性ビニル基としては、ビニル基、アリル基、ビニルエーテル基、ビニルエステル基、アクリル基等が挙げられる。
【００３７】
上記アミド結合を有する重合性ビニル化合物としては、Ｎ−ビニル−β−プロピオラクタム、Ｎ−ビニル−２−ピロリドン、Ｎ−ビニル−γ−バレロラクタム、Ｎ−ビニル−２−ピペリドン、Ｎ−ビニル−ヘプトラクタムなどのＮ−ビニルラクタム化合物、Ｎ−ビニルホルムアミド、Ｎ−メチル−Ｎ−ビニルアセトアミドなどの非環状のＮ−ビニルアミド化合物、Ｎ−アリル−Ｎ−メチルホルムアミド、アリル尿素などの非環状のＮ−アリルアミド化合物、１−（２−プロペニル）−２−ピロリドンなどのＮ−アリルラクタム化合物、（メタ）アクリルアミド、Ｎ，Ｎ−ジメチルアクリルアミド、Ｎ−イソプロピルアクリルアミド等のアクリルアミド化合物が挙げられる。
【００３８】
上記アミド結合を有する重合性ビニル化合物としては、また、
【化１】
2016204217.tif 000003
（式中、Ｒ１及びＲ２は独立にＨ又は炭素数１〜１０のアルキル基）で示される化合物、
【化２】
2016204217.tif 000004
（式中、Ｒ１及びＲ２は独立にＨ又は炭素数１〜１０のアルキル基）で示される化合物等も挙げられる。
【００３９】
なかでも、Ｎ−ビニルラクタム化合物又は非環状のＮ−ビニルアミド化合物が好ましく、Ｎ−ビニル−β−プロピオラクタム、Ｎ−ビニル−２−ピロリドン、Ｎ−ビニル−γ−バレロラクタム、Ｎ−ビニル−２−ピペリドン、及び、Ｎ−ビニル−ヘプトラクタムからなる群より選択される少なくとも１種がより好ましく、Ｎ−ビニル−２−ピロリドン、及び、Ｎ−ビニル−２−ピペリドンからなる群より選択される少なくとも１種が更に好ましく、Ｎ−ビニル−２−ピロリドンが特に好ましい。
【００４０】
上記フルオロオレフィン／アミド結合を有する重合性ビニル化合物共重合体は、本発明の効果を損なわない範囲で、フルオロオレフィン単位及びアミド結合を有する重合性ビニル化合物単位以外の他の単量体単位を有していてもよい。他の単量体単位としては、ビニルエステルモノマー単位、ビニルエーテルモノマー単位、ポリエチレングリコールを側鎖に有する（メタ）アクリルモノマー単位、ポリエチレングリコールを側鎖に有するビニルモノマー単位、長鎖炭化水素基を有する（メタ）アクリルモノマー単位、長鎖炭化水素基を有するビニルモノマー単位等が挙げられる。他の単量体単位の合計は、０〜５０モル％であってもよく、０〜４０モル％であることが好ましく、０〜３０モル％であることがより好ましく、０〜２０モル％であることが更に好ましく、０〜１５モル％であることがより更に好ましく、０〜１０モル％であることが特に好ましく、０〜５モル％であることが最も好ましい。
【００４１】
上記フルオロオレフィン／アミド結合を有する重合性ビニル化合物共重合体は、実質的にフルオロオレフィン単位及びアミド結合を有する重合性ビニル化合物単位のみからなることが好ましい。
【００４２】
上記フルオロオレフィン／アミド結合を有する重合性ビニル化合物共重合体は、重量平均分子量が１００００以上であることが好ましい。より好ましくは、１５０００〜５０００００であり、更に好ましくは、２００００〜３０００００である。上記重量平均分子量は、ゲル浸透クロマトグラフィー（ＧＰＣ）により求めることができる。
【００４３】
上記フルオロオレフィン／アミド結合を有する重合性ビニル化合物共重合体は、ラジカル重合によって製造できる。製造プロセスの種類や媒体の種類・有無、重合反応系内の均一性等に関して特に限定されることはないが、例えば、溶液重合、乳化重合、ソープフリー重合、懸濁重合、沈殿重合、分散重合、塊状重合などにより製造できる。
【００４４】
上記生体適合性材料からは生体適合性に優れた物品を製造できる。また、上記生体適合性材料は、物品の表面に生体適合性の膜を形成することができる。上記生体適合性材料は、コーティング膜であることが好適な態様の一つである。上記コーティング膜とは、上記生体適合性材料又は上記生体適合性材料からなるコーティング組成物を塗布することにより得られる膜をいう。上記コーティング膜の製膜方法としては、スピンコート法、ドロップキャスト法、ディップニップ法、スプレーコート法、刷毛塗り法、浸漬法、静電塗装法、インクジェットプリント法等が挙げられる。中でも、簡便性の点で、スピンコート法、ドロップキャスト法、浸漬法が好ましい。
【００４５】
上記コーティング膜の膜厚は０．１〜５０μｍであることが好ましく、０．５〜３０μｍであることがより好ましく、１．０〜２０μｍであることが更に好ましい。
【００４６】
上記生体適合性材料及び有機溶剤からなることを特徴とするコーティング組成物も本発明の一つである。上記コーティング膜は、上記コーティング組成物を塗布することにより得られることが好ましい。
【００４７】
上記有機溶剤としては、メタノール、エタノール、２−プロパノール、２−ブタノール、１−ブタノール、１−ヘキサノール、アセトン、テトラヒドロフラン、メチルエチルケトン、ジメチルアセトアミド、ジメチルホルムアミド等が使用できる。なかでも、透明で均一なコーティング膜が容易に得られる点で、２−ブタノール、１−ブタノール、１−ヘキサノール、テトラヒドロフランが好ましい。また、上記生体適合性材料の溶解性の観点からは、メタノール、エタノール、２−プロパノール、テトラヒドロフラン、ジメチルアセトアミド、ジメチルホルムアミドが好ましい。
【００４８】
上記生体適合性材料は、優れた生体適合性を有することから、医療用具又は医療用容器を形成するための材料として好適に使用できる。また、上記生体適合性材料は、タンパク質、血液成分、細胞又は細菌が付着しにくいことから、タンパク質、血液成分、細胞又は細菌の付着を避けることが要求される種々の物品に適用できる。
【００４９】
上記タンパク質としては、血漿タンパク質、後述するバイオ医薬等を挙げることができる。上記血漿タンパク質としては、アルブミン、グロブリン、フィブリノーゲン等が挙げられる。上記血液成分としては、血小板等を挙げることができる。
【００５０】
上記物品は、上記生体適合性材料を公知の成形方法により成形して得られたものであってもよいし、上記生体適合性材料又は上記生体適合性材料からなるコーティング組成物を、医療用具又は医療用容器等の物品に塗布することにより得られたものであってもよい。また、上記物品は、上記コーティング膜を備えるものであってもよく、物品の表面に上記コーティング膜を備えるものであってもよい。
【００５１】
上記生体適合性材料の成形方法及び塗布方法は特に限定されず、スピンコート法、ドロップキャスト法、ディップニップ法、スプレーコート法、刷毛塗り法、浸漬法、インクジェットプリント法、静電塗装法、圧縮成形法、押出成形法、カレンダー成形法、トランスファー成形法、射出成形法、ロト成形法、ロトライニング成形法、熱誘起相分離法、非溶媒誘起相分離法等が採用できる。
【００５２】
上記生体適合性材料からなることを特徴とする物品、上記生体適合性材料を成形して得られることを特徴とする物品、上記生体適合性材料又は上記コーティング組成物を塗布して得られることを特徴とするコーティング膜、及び、上記生体適合性材料又は上記コーティング組成物を塗布して得られるコーティング膜を備えることを特徴とする物品は、いずれも、生体適合性に優れている。上記物品は、医療用具又は医療用容器として好適に利用できる。
【００５３】
上記生体適合性材料又は上記コーティング組成物を塗布する工程を含むことを特徴とするコーティング方法も本発明の一つである。上記コーティング方法において、上記生体適合性材料又は上記コーティング組成物を物品の表面に塗布することが好ましい。上記コーティング方法によって、物品の表面に生体適合性に優れたコーティング膜を付与することができる。
【００５４】
上記物品の形状は特に限定されず、フィルム、シート、チューブ、バッグ、シャーレ、ディッシュ、ウェル、又は、バイアル瓶であってよい。
【００５５】
上記物品は、抗血栓用、バイオ医薬用、抗菌用、細胞培養用、又は、抗タンパク吸着用に好適に使用できる。上記物品であって、抗血栓用、バイオ医薬用、抗菌用、細胞培養用、又は、抗タンパク吸着用に使用することを特徴とする物品も本発明の一つである。
【００５６】
上記抗血栓用物品としては、バイアル瓶、人工血管、ステント、カテーテル、人工心臓、人工肺、人工心弁、血液保存バッグ等が好ましい。
【００５７】
上記バイオ医薬用物品としては、バイオ医薬用シート、バイオ医薬用フィルム、バイオ医薬用バイアル瓶、バイオ医薬用シャーレ、バイオ医薬用フラスコ等が挙げられる。
【００５８】
バイオ医薬を保管するための器具やバイオ医薬を使用するための器具にバイオ医薬が吸着しやすいと、バイオ医薬を正確に定量できなかったり、正確な分析が困難になったりする。また、バイオ医薬は高価であるため、経済的損失も大きい。バイオ医薬用バッグ、バイオ医薬用シート、バイオ医薬用フィルム、バイオ医薬用バイアル瓶、バイオ医薬用シャーレ、又は、バイオ医薬用フラスコが、上述の生体適合性材料からなるものであると、バイオ医薬が吸着しにくく、バイオ医薬を高い回収率で回収することができる。
【００５９】
上記バイオ医薬としては、タンパク質医薬品、遺伝子組み換えウイルス、細胞性治療薬、核酸医薬品等が挙げられる。
【００６０】
上記タンパク質医薬品としては、（１）酵素類のタンパク質：アルテラーゼ、モンテブラーゼ、イミグルセラーゼ、ベラグルセラーゼ  アルファ、アガルシダーゼ  アルファ、アガルシダーゼ  ベータ、ラロニダーゼ、アルグルコシダーゼ  アルファ、イデュルスルファーゼ、ガルスルファーゼ、ラスブリカーゼ、ドルナーゼ  アルファ、（２）血液凝固線溶系因子類のタンパク質：オクトコグ  アルファ、ルリオクトコグ  アルファ、エプタコグ  アルファ（活性型）、ノナコグアルファ、ツロクトコグ  アルファ、エフトレノナコグ  アルファ、トロンボモデュリン  アルファ、（３）血清タンパク質類：人血清アルブミン、（４）ホルモン類のタンパク質：ヒトインスリン、インスリン  リスプロ、インスリン  アスパルト、インスリン  グラルギン、インスリン  デテミル、インスリン  グルリジン、インスリン  デグルデク、インスリン  デグルデク及びインスリン  アスパルト、ソマトロピン、ペグビソマント、メカセルミン、カルペリチド、グルカゴン、ホリトロピン  アルファ、フォリトロピン  ベータ、リラグルチド、テリパラチド、メトレレプチン、（５）ワクチン類のタンパク質：組換え沈降Ｂ型肝炎ワクチン（酵母由来）、乾燥細胞培養不活化Ａ型肝炎ワクチン、組換え沈降２価ヒトパピローマウイルス様粒子ワクチン（イラクサギンウワバ細胞由来）、組換え沈降４価ヒトパピローマウイルス様粒ワクチン（酵母由来）、（６）インターフェロン類のタンパク質：インターフェロン  アルファ（ＮＡＭＡＬＷＡ）、インターフェロン  アルファ−２ｂ、インターフェロン  アルファ（ＢＡＬＬ−１）、インターフェロン  アルファコン−１、インターフェロン  ベータ、インターフェロン  ベータ−１ａ、インターフェロン  ベータ−１ｂ、インターフェロン  ガンマ−１ａ、ペグインターフェロン  アルファ−２ａ、ペグインターフェロン  アルファ−２ｂ、（７）エリスロポエチン類のタンパク質：エポエチン  アルファ、エポエチン  ベータ、ダルベポエチン  アルファ、エポエチン  ベータ  ペゴル、エポエチン  カッパ、（８）サイトカイン類のタンパク質：フィルグラスチム、ペグフィルグラスチム、レノグラスチム、ナルトグラスチム、セルモロイキン、テセロイキン、トラフェルミン、（９）抗体類のタンパク質：ムロモナブ−ＣＤ３、トラスツズマブ、リツキシマブ、パリビズマブ、インフリキシマブ、バシリキシマブ、トシリズマブ、ゲムツズマブ  オゾガマイシン、ベバシズマブ、イブリツモマブ  チウキセタン、アダリムマブ、セツキシマブ、ラニビズマブ、オマリズマブ、エクリズマブ、パニツムマブ、ウステキヌマブ、ゴリムマブ、カナキヌマブ、デノスマブ、モガムリズマブ、セルトリズマブ  ペゴル、オファツムマブ、ペルツズマブ、トラスツズマブ  エムタンシン、ブレンツキシマブ  ベドチン、ナタリズマブ、ニボルマブ、アレムツズマブ、（１０）融合タンパク質類：エタネルセプト、アバタセプト、ロミプロスチム、アフリベルセプト等が挙げられる。
【００６１】
また、核酸医薬品としては、アンチセンス、ｓｉＲＮＡ、デコイ核酸、核酸アプタマー、リボザイム、ｍｉＲＮＡアンチセンス、ｍｉＲＮＡｍｉｍｉｃ、ＣｐＧオリゴデオキシヌクレオチドが挙げられる。
【００６２】
上記抗菌用物品としては、コンタクトレンズ、トイレタリー用品、キッチン水回り器具、エアコン、食品工場設備、下水処理場設備、排水管等が挙げられる。
【００６３】
上記細胞培養用物品としては、細胞培養用バッグ、細胞培養用シート、細胞培養用フィルム、細胞培養用バイアル瓶、細胞培養用シャーレ、細胞培養用フラスコ等が挙げられる。
【００６４】
上記細胞培養用物品としては、また、胚様体形成用培養容器も挙げられる。上記胚様体形成用培養容器は、２個以上のウェルを有することが好ましい。各ウェルの形状は特に限定されないが、垂直方向における断面が略Ｕ字形状の底部、及び、略円形の開口部を有することが好ましい。更に、上記底部内面の曲率半径（Ｒ’）が、１．０ｍｍ以上、３．５ｍｍ以下であることが好ましく、３．０ｍｍ以下とすることがより好ましい。上記開口部の直径は４．０〜１１．０ｍｍとすることが好ましい。各ウェルの容量は８０〜５００μＬとすることができる。上記胚様体形成用培養容器は、少なくともウェルの内面が上記生体適合性材料からなるものであることが好ましい。
【００６５】
細胞を培養するために使用する器具に細胞が付着しやすいと、培養した細胞の回収率が低下したり、細胞が増殖している形状のまま回収できなかったり、細胞の性質が変化してしまったりする。細胞培養用バッグ、細胞培養用シート、細胞培養用フィルム、細胞培養用バイアル瓶、細胞培養用シャーレ又は細胞培養用フラスコが、上述の生体適合性材料からなるものであると、細胞が付着しにくく、培養により得られた細胞を高い回収率で、かつ細胞の形状や性質を好ましい状態で回収することができる。
【００６６】
上記細胞としては、造血幹細胞、神経幹細胞、間葉系肝細胞、中胚葉系幹細胞、肝幹細胞、膵幹細胞、胚性幹細胞等の幹細胞や、幹細胞を目的の細胞に分化させた細胞、あるいは免疫系細胞、血球系細胞、神経細胞、血管内皮細胞、繊維芽細胞、上皮細胞、角化細胞、角膜細胞、骨芽細胞、軟骨細胞、脂肪細胞、表皮細胞、肝細胞、膵β細胞、心筋細胞、骨髄細胞、羊膜細胞、臍帯血細胞などの生体由来の細胞、あるいはＮＩＨ３Ｔ３（エヌアイエイチスリーティースリー）細胞、３Ｔ３−Ｌ１（スリーティースリーエルワン）細胞、３Ｔ３−Ｅ１（スリーティースリーイーワン）細胞、ＨｅＬａ（ヒーラ）細胞、ＰＣ−１２（ピーシーツェルブ）細胞、Ｐ１９（ピーナインティーン）細胞、ＣＨＯ（チャイニーズハムスター卵母）細胞、ＣＯＳ（シーオーエス）細胞、ＨＥＫ（エッチイーケー）細胞、Ｈｅｐ−Ｇ２（ヘップジーツー）細胞、Ｌ９２９（エルナインツーナイン）細胞、Ｃ２Ｃ１２（シーツーシーツェルブ）細胞、Ｄａｕｄｉ（ダウディ）細胞、Ｊｕｒｋａｔ（ジャーカット）細胞、ＫＧ−１ａ（ケージーワンエー）細胞、ＣＴＬＬ−２（シーティーエルエルツー）細胞、ＮＳ−１（エヌエスワン）細胞、ＭＯＬＴ−４（エムオーエルティーフォー）細胞、ＨＵＴ７８（エッチユーティーセブンティエイト）細胞、ＭＴ−４（エムティーフォー）細胞などの株化細胞、あるいは抗体産生細胞である各種ハイブリドーマ細胞株、あるいはこれら細胞を遺伝子工学的に改変した細胞が挙げられる。
【００６７】
特に高分子材料に付着しやすい細胞である接着性細胞を培養する場合であっても、上記細胞培養用物品であれば、培養した細胞の付着を抑制することができる。
【００６８】
上記細胞としては、胚性幹細胞（ＥＳ細胞）や人工多能性幹細胞（ｉＰＳ細胞）などの胚様体（ｅｍｂｒｙｏｉｄ  ｂｏｄｙ：ＥＢ）も挙げられる。
【００６９】
胚様体形成は、ＥＳ細胞をはじめとする多能性幹細胞をｉｎ  ｖｉｔｒｏで分化誘導する際に有効であるため、広く採用されている手法である。胚様体形成はＥＳ細胞やｉＰＳ細胞を培養容器に接着させない浮遊状態で培養することが重要であり、通常の培養容器を使用した接着培養では胚様体は形成されにくい。上記胚様体形成用培養器が、上述の生体適合性材料からなるものであると、均一で、効率よく、質の高い胚様体を形成することができる。
【００７０】
上記抗タンパク吸着用物品としては、上述した抗血栓用物品、バイオ医薬用物品、抗菌用物品、細胞培養用物品等が挙げられる。
【００７１】
上記生体適合性材料を上記物品に適用する工程を含むことを特徴とする、上記物品へのタンパク質、血液成分、細胞又は細菌の付着を防止する方法は、上記生体適合性材料の使用方法として好ましい。上記生体適合性材料を適用する方法は、特に限定されず、物品の少なくとも表面の一部を上記生体適合性材料で覆うことができる方法であれば特に限定されない。例えば、上記生体適合性材料又は上記生体適合性材料を含むコーティング組成物を塗布することによりコーティング膜を形成させる方法が挙げられる。
【００７２】
上記物品表面の大腸菌の増殖を阻害する方法であって、上記物品の表面に上記生体適合性材料を適用することを特徴とする方法も、上記生体適合性材料の使用方法として好ましい。上記生体適合性材料を適用する方法は、特に限定されず、物品の少なくとも表面の一部を上記生体適合性材料で覆うことができる方法であれば特に限定されない。例えば、上記生体適合性材料又は上記生体適合性材料を含むコーティング組成物を塗布することによりコーティング膜を形成させる方法が挙げられる。
【実施例】
【００７３】
つぎに本発明を実施例をあげて説明するが、本発明はかかる実施例のみに限定されるものではない。【００７４】
実施例の各数値は以下の方法により測定した。【００７５】
モノマーのモル比
元素分析により測定した。【００７６】
分子量の測定はゲル浸透クロマトグラフィー（ＧＰＣ）測定により行った。【００７７】
製造例１
テトラフルオロエチレンとＮ−ビニルピロリドンの共重合体（１）の調製
気密検査済みの耐圧性反応容器内を十分に窒素置換した後、脱酸素処理したアセトン（７５２ｇ）及びＮ−ビニルピロリドン（２７．２ｇ）を添加した。続いてテトラフルオロエチレン（１００ｇ）を加圧添加し、攪拌しながら混合物の内温を６０℃となる様に調整した上で、ｔ−ブチルパーオキシピバレート１．７ｇを加えて反応を開始した。反応開始から３５分後、残存するテトラフルオロエチレンを除去し、精製、乾燥することで目的の共重合体（１）を１５ｇ得た。得られた共重合体（１）は、重量平均分子量６．４×１０４、分子量分布１．９、５０モル％のテトラフルオロエチレン単位及び５０モル％のＮ−ビニルピロリドン単位を含む共重合体であることが分かった。テトラフルオロエチレン単位／Ｎ−ビニルピロリドン単位のモル比は１であり、フッ素含有率は３６質量％であった。【００７８】
製造例２
テトラフルオロエチレンとＮ−ビニルピロリドンの共重合体（２）の調製
気密検査済みの耐圧性反応容器内を十分に窒素置換した後、脱酸素処理したメチルイソブチルケトン（９０．３ｇ）及びＮ−ビニルピロリドン（９．８０ｇ）を添加した。続いてテトラフルオロエチレンを加圧添加し、スターラーで攪拌しながら混合物の内温を６０℃となる様に調整した上で、アゾビスイソブチロニトリル（０．１９７ｇ）を加えて反応を開始した。反応開始から１時間後、残存するテトラフルオロエチレンを除去し、ヒドロキノン（０．１３２ｇ）を添加した。次いで反応混合物を精製、乾燥させ目的の共重合体（２）を３．３ｇ得た。得られた共重合体（２）は、重量平均分子量６．５×１０４、分子量分布２．０、３４モル％のテトラフルオロエチレン単位及び６６モル％のＮ−ビニルピロリドン単位を含む共重合体であった。テトラフルオロエチレン単位／Ｎ−ビニルピロリドン単位のモル比は０．５２であり、フッ素含有率は２４質量％であった。【００７９】
共重合体（１）及び（２）について表１に示す。
【表１】
2016204217.tif 000005
【００８０】
実施例１
共重合体（１）の０．１質量％メタノール溶液を室温でＰＥＴコーティング済みＱＣＭチップ（円盤状：直径１．４ｃｍ）の片側反応面へスピンコートした。具体的には、上記溶液３０μＬをＰＥＴコーティング済みＱＣＭチップ上に滴下し、６０秒間、２０００ｒｐｍ回転させた。その後、室温にて３時間、ロータリー真空ポンプにて減圧乾燥し、コーティング膜（ＱＣＭチップ）を得た。得られたコーティング膜をＱＣＭ−Ｄに組み込み、以下の方法でコーティング膜上のタンパク質吸着試験（ウシ血清アルブミン）を評価した。実験の結果を表２〜４に示す。【００８１】
〔タンパク質吸着試験〕
上記の方法でＰＥＴコーティング済みＱＣＭチップに重ねて共重合体（１）をコーティングしたＱＣＭチップをＱＣＭ−Ｄに装着させ、２３．４℃環境下のリン酸緩衝生理食塩水（ＰＢＳ）中で安定化を行った。【００８２】
周波数のベースラインが水平であることを確認した上、タンパク質を含むリン酸緩衝生理食塩水溶液（タンパク質の濃度０．０５ｍｇ／ｍＬ）を０．５ｍＬ注入し、吸着時間３０分間の周波数の変化量を測定した。タンパク質としては、ウシ血清アルブミン（ＢＳＡ）またはウシ血漿フィブリノーゲン（ＢＰＦ）およびウシ血清由来免疫グロブリンＧ（ＩｇＧ）を使用した。【００８３】
コーティング膜に吸着したタンパク質量は、実験から得られた吸着時間３０分後の周波数を解析ソフトＱＴｏｏｌｓに導入されているＳａｕｅｒｂｒｅｙの式からＡｒｅａｌ  ｍａｓｓ［ｎｇ／ｃｍ２］の解析を行い算出した。【００８４】
実施例２〜６
実施例１と同様にＱＣＭ−Ｄを用いて、表２〜４に記載したように、共重合体（１）または（２）について、ウシ血清アルブミン（ＢＳＡ）またはウシ血漿フィブリノーゲン（ＢＰＦ）およびグロブリン（ＩｇＧ）の吸着を評価した。実験の結果を表２〜４に示す。【００８５】
比較例１〜３（ＰＥＴ）
ポリエチレンテレフタレート（ＰＥＴ）の１．０質量％溶液（トリフルオロ酢酸、ジクロロメタンと１，１，２，２−テトラクロロエタンの混合溶剤（混合比１／４／４５）に溶解させたもの）を室温でＱＣＭチップ（円盤状：直径１．４ｃｍ）の片側反応面へスピンコートした。具体的には、上記溶液３０μＬをＱＣＭチップ上に滴下し、６０秒間、２０００ｒｐｍ回転させた。その後、５０℃にて３時間以上、ロータリー真空ポンプにて減圧乾燥し、コーティング膜を得た。
得られたコーティング膜について実施例１〜６と同様にタンパク質の吸着試験を実施した。実験の結果を表２〜４に示す。【００８６】
【表２】
2016204217.tif 000006
【００８７】
【表３】
2016204217.tif 000007
【００８８】
【表４】
2016204217.tif 000008
【００８９】
実施例７
共重合体（１）の０．１質量％メタノール溶液を室温でＰＥＴフィルム（１ｃｍ×１ｃｍ）上へスピンコートした。具体的には、上記溶液３０μＬをＰＥＴフィルム上に滴下し２００ｒｐｍで１０秒間回転した。その後、室温にて、ロータリー真空ポンプにて減圧乾燥し、コーティング膜を得た。さらにこのコーティングされたＰＥＴフィルムを０．５ｃｍ×０．５ｃｍにカットしコーティング膜（ＰＥＴフィルムの表面に形成されたコーティング膜）を得た。得られたコーティング膜について、以下の方法で抗血栓性（３０分間）を評価した。結果を表５に示す。【００９０】
〔血小板粘着性及び血小板の活性化（３０分間）〕
得られたコーティング膜を直径３．３ｃｍの秤量瓶の底に少量のシリコン接着剤で固定した。これを純水で３回洗浄後、リン酸塩緩衝生理食塩液（ＰＢＳ）に１２時間浸漬した。ＰＢＳを除いた後、ＰＢＳで３倍希釈した０．１％クエン酸ナトリウムを含む多血小板血漿（ＰＲＰ、血小板数：２×１０５個／μＬ）を上記秤量瓶に２．０ｍＬ加え、３７℃で３０分間静置した。ＰＲＰを除き、ＰＢＳでコーティング膜を３回洗浄した。２％グルタルアルデヒドを含むＰＢＳを加え４℃で２時間静置し、コーティング膜表面に粘着した血小板を固定化した。サンプルをＰＢＳで３回、純水で１回洗浄し、１晩減圧乾燥を行った。得られたサンプルを金スパッタ装置で金コートし、走査型電子顕微鏡を用いてコーティング膜表面を倍率４００倍で５視野任意に観察し、粘着した血小板数をカウントした。粘着した血小板の活性化が抑制され血小板形態が球状の場合（−）、わずかに偽足化または偏平化の場合（±）、明らかな偽足化または偏平化の場合（＋）、明らかな偽足化または偏平化があり血小板同士の凝集が認められた場合（＋＋）とした。【００９１】
実施例８
実施例７と同様の方法で共重合体（２）のコーティング膜を得た。得られたコーティング膜について実施例７と同様の方法で抗血栓性（３０分間）を評価した。結果を表５に示す。【００９２】
比較例４
実施例７で用いたものと同様のＰＥＴフィルム（コーティング無）について実施例７と同様の方法で抗血栓性（３０分間）を評価した。結果を表５に示す。【００９３】
【表５】
2016204217.tif 000009
【００９４】
実施例９
共重合体（１）の０．１質量％メタノール溶液を室温でＰＥＴフィルム（１．０ｃｍ×１．０ｃｍ）上へスピンコートした。具体的には、上記溶液３０μＬをＰＥＴフィルム上に滴下し、６０秒間、２０００ｒｐｍ回転させた。その後、室温にて３時間、ロータリー真空ポンプにて減圧乾燥し、コーティング膜を得た。得られたコーティング膜について、以下の方法で細胞の接着試験を評価した。結果を表６に示す。【００９５】
〔細胞接着試験〕
ＰＥＴフィルム（１．０ｃｍ×１．０ｃｍ）上に共重合体（１）をスピンコートしたコーティング膜を２４穴の細胞培養プレートの底に少量のシリコン接着剤で固定した。超純水で３回洗浄した後に３７℃環境下のＰＢＳ中で１２時間浸漬させた。【００９６】
マウス繊維芽細胞（ＮＩＨ３Ｔ３）を５％ＣＯ２、３７℃環境下で１０％ウシ胎児血清（ＦＣＳ）を含有するダルベッコ改変イーグル培地（ＦＣＳ含有ＤＭＥＭ）中で培養した。培養したＮＩＨ３Ｔ３細胞を滅菌ＰＢＳで一回洗浄し、１ｍＬの０．０２％  エチレンジアミン四酢酸（ＥＤＴＡ）溶液と１ｍＬの０．２５％トリプシン溶液を加え細胞培養プレートから剥がした。その細胞懸濁液を遠心してＮＩＨ３Ｔ３細胞を回収した後、ＦＣＳ含有ＤＭＥＭで再懸濁し６１．２×１０４個／ｍＬの溶液を得た。【００９７】
細胞懸濁液は、コーティング膜を固定した細胞培養プレートの各ウェルに対して１×１０４個／ｃｍ２に培地で調製し、コーティング膜上に播種した。５％ＣＯ２、３７℃環境下で１時間培養した後、コーティング膜をＰＢＳで３回洗浄し、４％パラホルムアルデヒド  ＰＢＳ溶液を用いてコーティング膜上の接着細胞を固定化した。超純水で３回洗浄した後、ロータリー真空ポンプにて減圧乾燥した。１質量％濃度のクリスタルバイオレット  ＰＢＳ染色液で接着細胞を染色し、光学顕微鏡を用いて５視野任意に観察を行い接着細胞の数を数えた。【００９８】
実施例１０
実施例９と同様の方法で共重合体（２）のコーティング膜を得た。得られたコーティング膜について実施例９と同様の方法で細胞接着試験を実施した。結果を表６に示す。【００９９】
比較例５
実施例９で用いたものと同様のＰＥＴフィルム（コーティング無）について、実施例９と同様の方法で細胞接着試験を実施した。結果を表６に示す。【０１００】
【表６】
2016204217.tif 000010
【０１０１】
実施例１１
共重合体（１）の０．１質量％メタノール溶液を室温でＰＥＴフィルム（１ｃｍ×１ｃｍ）上へスピンコートした。具体的には、上記溶液３０μＬをＰＥＴフィルム上に滴下し２０００ｒｐｍで６０秒間回転した。その後、室温にて、ロータリー真空ポンプにて減圧乾燥し、コーティング膜（ＰＥＴフィルムの表面に形成されたコーティング膜）を得た。【０１０２】
得られたコーティング膜について、以下の方法で大腸菌の接着性を評価した。結果を表７に示す。【０１０３】
〔大腸菌の接着性：化学発光法による定量〕
得られたコーティング膜を２４穴細胞培養ディッシュの底に少量のシリコン接着剤で固定した。これを純水で３回洗浄後、リン酸塩緩衝生理食塩液（ＰＢＳ）に１２時間浸漬した。ＰＢＳを除いた後、対数増殖期にある大腸菌（Ｅ．ｃｏｌｉ  ＡＴＣＣ（Ｒ）  ２５９２２ＴＭ）を含む１０質量％  Ｍｕｌｌｅｒ−Ｈｉｎｔｏｎ  ＩＩ  （ＭＨ）培地でＯＤ６００＝０．００３に調製した分散液を上記細胞培養ディッシュに２．０ｍＬ加え、３７℃で２０時間静置培養した。上清を９６穴の細胞培養ディッシュに１００μＬずつ加え、ＯＤ５９０を測定し大腸菌分散液の濃度を求めた。大腸菌が接着したコーティング膜は、２４穴細胞培養ディッシュから取り出し、ＰＢＳで３回洗浄した後に新しい２４穴細胞培養ディッシュに移した。接着した大腸菌の定量はＢａｃＴｉｔｅｒ−ＧｌｏＴＭ  Ｍｉｃｒｏｂｉａｌ  Ｃｅｌｌ  Ｖｉａｂｉｌｉｔｙ  Ａｓｓａｙを用いて行った。１０％  ＢａｃＴｉｔｅｒ−ＧｌｏＴＭ  Ｒｅａｇｅｎｔ水溶液５００μＬを大腸菌が接着したコーティング膜に添加し、５分間室温で静置した。その後、添加した水溶液を化学発光用９６穴マイクロプレートに１００μＬずつ加え、プレートリーダーを用いて化学発光強度を測定した。【０１０４】
〔接着大腸菌のコロニー形成：ＳＥＭ観察〕
得られたコーティング膜を２４穴細胞培養ディッシュの底に少量のシリコン接着剤で固定した。これを純水で３回洗浄後、リン酸塩緩衝生理食塩液（ＰＢＳ）に１２時間浸漬した。ＰＢＳを除いた後、対数増殖期にある大腸菌（Ｅ．ｃｏｌｉ  ＡＴＣＣ（Ｒ）  ２５９２２ＴＭ）を含む１０質量％  Ｍｕｌｌｅｒ−Ｈｉｎｔｏｎ  ＩＩ  （ＭＨ）培地でＯＤ６００＝０．００３に調製した分散液を上記細胞培養ディッシュに２．０ｍＬ加え、３７℃で２０時間静置培養した。上清を除き、ＰＢＳでコーティング膜を３回洗浄した。２％グルタルアルデヒドを含むＰＢＳを加え４℃で２時間静置し、コーティング膜表面に接着した大腸菌を固定化した。サンプルをＰＢＳで３回、純水で１回洗浄し、１晩減圧乾燥を行った。得られたサンプルを金スパッタ装置で金コートし、走査型電子顕微鏡を用いてコーティング膜表面を倍率４００倍及び２５００倍で３視野任意に観察し、大腸菌の接着性、コロニー形成を評価した。大腸菌のコロニー形成が全く確認できないものを−、大腸菌数が４００ｃｅｌｌｓ未満の小さなコロニーが分散して存在するもの±、大腸菌数が４００ｃｅｌｌｓ以上の大きなコロニーが存在するものを＋、大腸菌数が４００ｃｅｌｌｓ以上の大きなコロニーが存在し、かつ広範囲にコロニー形成が広がっているものを＋＋と表７に記す。【０１０５】
実施例１２
実施例１１と同様の方法で共重合体（２）のコーティング膜を得た。得られたコーティング膜について実施例１１と同様の方法で大腸菌の接着性および接着大腸菌のコロニー形成を評価した。結果を表７に示す。【０１０６】
比較例６
実施例１１で用いたものと同様のＰＥＴフィルム（コーティング無）について、実施例１１と同様の方法で大腸菌の接着性および接着大腸菌のコロニー形成を評価した。結果を表７に示す。【０１０７】
【表７】
2016204217.tif 000011
【０１０８】
実施例１１、実施例１２、比較例６で得られた接着大腸菌のＳＥＭ写真を図１〜６に示す。【０１０９】
製造例３
テトラフルオロエチレンとＮ−ビニルピロリドンの共重合体（３）の調製
気密検査済みの耐圧性反応容器内を十分に窒素置換した後、脱酸素処理したアセトン（８９０ｇ）及びＮ−ビニルピロリドン（ＮＶＰ）（６０．１ｇ）を添加した。続いてテトラフルオロエチレン（ＴＦＥ）（７４ｇ）を加圧添加し、攪拌しながら混合物の内温を６０℃となる様に調整した上で、ｔ−ブチルパーオキシピバレート（２．６ｇ）を加えて反応を開始した。反応圧の低下に応じて、ＴＦＥとＮＶＰを追加仕込みをおこない、圧が一定になるようにした。追加仕込みしたＴＦＥは合計９１ｇ、ＮＶＰは２００ｇであった。反応開始から２１８分後、残存するＴＦＥを除去し、反応を完了させた。次いで反応混合物を精製、乾燥させ、目的の共重合体（３）を１２８４ｇ得た。得られた共重合体（３）は、重量平均分子量４．３×１０４、分子量分布１．９、３５モル％のＴＦＥ単位及び６５モル％のＮＶＰ単位を含む共重合体であることが分かった。【０１１０】
製造例４
テトラフルオロエチレンとＮ−ビニルピロリドンの共重合体（４）の調製
製造例３と同じ条件で重合をおこなった。ただし、追加仕込みしたＴＦＥは合計８８ｇ、ＮＶＰは１８８ｇであった。反応開始から２１４分後、残存するＴＦＥを除去し、反応を完了させた。次いで反応混合物を精製、乾燥させ、目的の共重合体（４）を１２７３ｇ得た。得られた共重合体（４）は、重量平均分子量４．５×１０４、分子量分布１．９、３７モル％のＴＦＥ単位及び６３モル％のＮＶＰ単位を含む共重合体であることが分かった。【０１１１】
製造例５
ヘキサフルオロプロピレンとＮ−ビニルピロリドンの共重合体（５）の調製
気密検査済みの耐圧性反応容器内を十分に窒素置換した後、脱酸素処理したアセトン（８９０ｇ）及びＮ−ビニルピロリドン（ＮＶＰ）（１３５ｇ）を添加した。続いてヘキサフルオロプロピレン（ＨＦＰ）（１４７ｇ）を加圧添加し、撹拌しながら混合物の内温を６０℃となる様に調整した上で、ｔ−ブチルパーオキシピバレート（２．２ｇ）を加えて反応を開始した。反応開始から１６４分後、残存するヘキサフルオロプロピレンを除去し、反応を完了させた。次いで反応混合物を精製、乾燥させ、目的の共重合体（５）を１１５７ｇ得た。得られた共重合体（５）は、重量平均分子量１．１×１０４、分子量分布１．７、２９モル％のＨＦＰ単位及び７１モル％のＮＶＰ単位を含む共重合体であることが分かった。【０１１２】
製造例６
トリフルオロクロロエチレンとＮ−ビニルピロリドンの共重合体（６）の調製
気密検査済みの耐圧性反応容器内を十分に窒素置換した後、脱酸素処理したアセトン（７５１ｇ）及びＮ−ビニルピロリドン（２６．０ｇ）を添加した。続いてトリフルオロクロロエチレン（１１６ｇ）を加圧添加し、攪拌しながら混合物の内温を６０℃となる様に調整した上で、ｔ−ブチルパーオキシピバレート（１．８ｇ）を加えて反応を開始した。反応開始から１２０分後、残存するトリフルオロクロロエチレンを除去し、ヒドロキノン（１．１ｇ）を添加した。次いで反応混合物を精製、乾燥させ、目的の共重合体（６）を３ｇ得た。得られた共重合体（６）は、重量平均分子量４．７×１０４、分子量分布４．３、６４モル％のトリフルオロクロロエチレン単位及び３６モル％のＮ−ビニルピロリドン単位を含む共重合体であることが分かった。【０１１３】
実施例１３〜１６及び比較例７
ＢＳＡ吸着量評価実験
製造例３〜６でえられた共重合体に関し、タンパク質吸着試験（ウシ血清アルブミン）をおこなった。【０１１４】
共重合体（３）〜（６）およびＰＶＤＦをジメチルアセトアミド溶液に溶解させ、１質量％のポリマー溶液とした。このポリマー溶液をＱＣＭチップであるＡｕセンサー（円盤状、直径１．４ｃｍ）表面に１滴垂らし、２０００ｒｐｍで３０秒スピンコートを行った。このセンサーを８０℃、真空中で３時間乾燥させ、共重合体（３）〜（６）又はＰＶＤＦで表面がコーティングされたセンサーを作製した。この作製したセンサーをＱＣＭにセットし、０．１Ｍ  ＰＢＳ（リン酸緩衝液）に溶解させた１００ｐｐｍ  ウシ血清アルブミン（ＢＳＡ）を供給することで吸着挙動を測定した。【０１１５】
コーティング膜に吸着したタンパク質量は、実験から得られた吸着時間３０分後の周波数を解析ソフトＱＴｏｏｌｓに導入されているＳａｕｅｒｂｒｅｙの式からＡｒｅａｌ  ｍａｓｓ［ｎｇ／ｃｍ２］の解析を行い算出した。【０１１６】
結果は、比較例７の値を１００として表８に示す。【０１１７】
比較としてダイキン工業社製ポリフッ化ビニリデン（ＰＶＤＦ）  ＶＷ４１０を用いた。【０１１８】
【表８】
2016204217.tif 000012
【０１１９】
製造例７
テトラフルオロエチレンとＮ−ビニルピロリドンの共重合体（７）の調製
気密検査済みの耐圧性反応容器内を十分に窒素置換した後、脱酸素処理したアセトン（８９０ｇ）及びＮ−ビニルピロリドン（ＮＶＰ）（３６．０ｇ）を添加した。続いてテトラフルオロエチレン（ＴＦＥ）（１３１ｇ）を加圧添加し、攪拌しながら混合物の内温を６０℃となる様に調整した上で、ｔ−ブチルパーオキシピバレート（２．６ｇ）を加えて反応を開始した。反応圧の低下に応じて、ＴＦＥとＮＶＰを追加仕込みをおこない、圧が一定になるようにした。追加仕込みしたＴＦＥは合計９０ｇ、ＮＶＰは１００ｇであった。反応開始から５時間後、残存するＴＦＥを除去し、反応を完了させた。次いで反応混合物を精製、乾燥させ、目的の共重合体（７）を２２９ｇ得た。得られた共重合体（７）は、重量平均分子量５．０×１０４、分子量分布２．０、４６モル％のＴＦＥ単位及び５４モル％のＮＶＰ単位を含む共重合体であることが分かった。【０１２０】
実施例１７〜１９
実施例１と同様にＱＣＭ−Ｄを用いて、表９に記載したように、共重合体（５）、（３）、又は（７）について、ウシ血漿フィブリノーゲン（ＢＰＦ）の吸着を評価した。実験の結果を表９に示す。結果は比較例２の値を１００として表９に示す。【０１２１】
実施例２０〜２２
実施例１と同様にＱＣＭ−Ｄを用いて、表１０に記載したように、共重合体（５）、（３）、又は（７）について、グロブリン（ＩｇＧ）の吸着を評価した。実験の結果を表１０に示す。結果は比較例３の値を１００として表１０に示す。【０１２２】
【表９】
2016204217.tif 000013
【０１２３】
【表１０】
2016204217.tif 000014
【図１】
2016204217.tif 000015
【図２】
2016204217.tif 000016
【図３】
2016204217.tif 000017
【図４】
2016204217.tif 000018
【図５】
2016204217.tif 000019
【図６】
2016204217.tif 000020
【国際調査報告】
2016204217.tif 000021
2016204217.tif 000022
2016204217.tif 000023
2016204217.tif 000024